(57)【特許請求の範囲】
【請求項１】
複数の電磁弁と、当該各電磁弁が搭載されるとともに当該各電磁弁により共通流路との接続状態が切換えられる入出力ポートを有するマニホールドベースとを備えた電磁弁マニホールドであって、
前記各電磁弁に電力を供給するために当該各電磁弁に設けられた主電源用の入力端子と、
前記主電源用の入力端子に関与することなく前記各電磁弁に個々に電力を供給するために前記各電磁弁に設けられるか、又は、前記電磁弁の主電源用の入力端子及び前記マニホールドベースの主電源用の出力端子を介して前記各電磁弁に個々に電力を供給するために前記マニホールドベースに設けられる外部電源用の入力端子とを備え、
前記主電源からの通電を遮断する切換手段と、
前記電磁弁を前記マニホールドベースに組付けることによって、前記電磁弁の主電源用の入力端子が前記マニホールドベースの主電源用の出力端子に電気接続されるプラグイン構造とを備えたことを特徴とする電磁弁マニホールド。
【請求項２】
複数の電磁弁と、当該各電磁弁が搭載されるとともに当該各電磁弁により共通流路との接続状態が切換えられる入出力ポートを有するマニホールドベースとを備えた電磁弁マニホールドであって、
前記各電磁弁に電力を供給するために当該各電磁弁に設けられた主電源用の入力端子と、
前記主電源用の入力端子に関与することなく前記各電磁弁に個々に電力を供給するために前記各電磁弁に設けられるか、又は、前記電磁弁の主電源用の入力端子及び前記マニホールドベースの主電源用の出力端子を介して前記各電磁弁に個々に電力を供給するために前記マニホールドベースに設けられる外部電源用の入力端子とを備え、
前記主電源からの通電を遮断する切換手段と、
前記切換手段は、前記外部電源用の入力端子に接続される外部電源からの供給コネクタの接続動作に基づき、前記主電源からの通電を遮断するように切換作動されることを特徴とする電磁弁マニホールド。
【発明の詳細な説明】
【０００１】
【発明の属する技術分野】
本発明は、電磁弁マニホールドに関するものである。
【０００２】
【従来の技術】
例えば実開平５−６４５８７号公報等に開示されるように、マニホールドブロックに電磁弁を組付けたとき、同時に電磁弁の入力端子と、マニホールド側の主電源に通じる出力端子とが接続されるプラグイン構造の電磁弁マニホールドがある。この種の電磁弁マニホールドでは、電磁弁用の配線が外部に露出せずに外観構造が簡素になり、しかも個々の電磁弁への結線作業やその配線の余剰部分の処理作業を行わずに済む。
【０００３】
【発明が解決しようとする課題】
電磁弁は設備立ち上げ時など、主電源以外の外部入力によって個別動作させる場合がある。ところが、このようなプラグイン構造を採用すると、電磁弁をマニホールドブロックに組付けた後、各電磁弁の端子は本体内部に隠れるため、主電源からの接続を解除して、外部より別の外部電源用の端子を個々に接続することができない。そのため、設備の立ち上げ調整が不便になる。また、給電装置のトラブル時に外部電源を入力して所定の電磁弁を駆動させるような応急処置ができない等、主電源とは別である外部電源によって個別に電磁弁を駆動できない問題が生じていた。
【０００４】
また、主電源からの配線を電磁弁の給電部に個々に接続する、つまりプラグイン構造でない電磁弁マニホールドでは、配線接続用の端子に外部電源用の配線を接続すれば外部電源によって各電磁弁を個別に駆動させることは可能である。しかし、これでは主電源用の配線を取外して外部電源用の配線に取替える取替作業が面倒であり、しかも取外した主電源用の配線を再び電磁弁に取付けるとき、元の取付先の電磁弁が分かり難いという問題もあった。
【０００５】
本発明は前記の問題点に鑑みてなされたものであって、第１の目的は、外部電源を電磁弁に個別に給電できる電磁弁マニホールドを提供することにある。第２の目的は、主電源の入力状態に関係なく外部電源によって各電磁弁を個別に駆動できることにある。
【０００６】
【課題を解決するための手段】
前記第１の目的を達成するため請求項１及び２に記載の発明では、複数の電磁弁と、当該各電磁弁が搭載されるとともに当該各電磁弁により共通流路との接続状態が切換えられる入出力ポートを有するマニホールドベースとを備えた電磁弁マニホールドであって、前記各電磁弁に電力を供給するために当該各電磁弁に設けられた主電源用の入力端子と、前記主電源用の入力端子に関与することなく前記各電磁弁に個々に電力を供給するために前記各電磁弁に設けられるか、又は、前記電磁弁の主電源用の入力端子及び前記マニホールドベースの主電源用の出力端子を介して前記各電磁弁に個々に電力を供給するために前記マニホールドベースに設けられる外部電源用の入力端子とを備えたことを要旨とする。
【０００７】
この発明によれば、例えば外部電源用の入力端子を各電磁弁に設ける場合には、主電源の配線系に異常が生じても、外部電源用の入力端子に外部電源からの供給コネクタを接続すれば、主電源用の入力端子に関与することなく各電磁弁に個別に給電可能となる。そして各電磁弁は、その外部電源によって個別に駆動される。また例えば、プラグイン構造では電磁弁の主電源の入力端子が電磁弁マニホールドの本体内部に隠れる構造をとるが、外部電源によって各電磁弁を個々に駆動可能となる。しかも、プラグイン構造でない場合でも、配線を取外して外部電源用の配線を接続するような取替作業を行わずに済み、配線接続時の作業性が良くなる。
【０００８】
前記第２の目的を達成するため請求項１に記載の発明では、前記主電源からの通電を遮断する切換手段と、前記電磁弁を前記マニホールドベースに組付けることによって、前記電磁弁の主電源用の入力端子が前記マニホールドベースの主電源用の出力端子に電気接続されるプラグイン構造とを備えたことを要旨とする。
【０００９】
この発明によれば、プラグイン構造では、電磁弁をマニホールドブロックに組付けた後は、各電磁弁の端子が電磁弁マニホールドの本体内部に隠れる構造をとるが、各電磁弁に外部電源用の入力端子を設けたので、プラグイン構造でも外部電源により電磁弁を個別に駆動することが可能となる。しかも、主電源からの通電を遮断する切換手段によって、電磁弁への電力供給源が主電源から外部電源に切換わるため、主電源の入力状態に関係なく外部電源によって各電磁弁を個別に駆動することが可能となる。
【００１０】
請求項２に記載の発明では、前記主電源からの通電を遮断する切換手段を備え、前記切換手段は、前記外部電源用の入力端子に接続される外部電源からの供給コネクタの接続動作に基づき、前記主電源からの通電を遮断するように切換作動されることを要旨とする。
【００１１】
この発明によれば、主電源からの通電を遮断する切換手段によって、電磁弁への電力供給源が主電源から外部電源に切換わるため、主電源の入力状態に関係なく外部電源によって電磁弁が駆動される。また切換手段は、外部電源用の入力端子に外部電源からの供給コネクタを接続する際、この供給コネクタの接続動作に基づき切換作動されるので、主電源からの通電を切るための余分な操作が不要になる。
【００１２】
【発明の実施の形態】
以下、本発明をベース配管タイプの電磁弁マニホールドに具体化した一実施形態を図１〜図６に従って説明する。
【００１３】
図６に示すように、電磁弁マニホールド１は、レール２に沿って連設された複数のマニホールドブロック３と、その各マニホールドブロック３上に搭載された複数の電磁弁４とを備えている。電磁弁４には、片側のみにソレノイドを有したシングルソレノイドタイプ（図６の左側５つ）と、両側にソレノイドが配置された両側ダブルソレノイドタイプ（図６の右側３つ）とがある。
【００１４】
シングルソレノイドタイプの電磁弁４は、片側のみに給電部５が配設され、両側ダブルソレノイドでは、両側に給電部５が配設されている。また、その電磁弁４の仕様に応じて、マニホールドブロック３にもシングルソレノイドタイプ仕様と、ダブルソレノイドタイプ仕様とがある。この電磁弁マニホールド１は、電磁弁４をマニホールドブロック３に組付けると、電磁弁４の給電部５がマニホールドブロック３の主電源に通じるコネクタ部６（図１および図２参照）に電気接続されるプラグイン構造をとっている。
【００１５】
これら複数のマニホールドブロック３によってマニホールドベース７が構成されている。各マニホールドブロック３の片側端部には、外部駆動装置（図示省略、例えばエアシリンダ等）の配管を接続するための継手８が２つずつ組付けられ、２つの継手８の各先端部が入出力ポート８ａ，８ｂとなっている。マニホールドベース７の端部には集中端子型のコネクタ部９が配設され、コネクタ部９内の各端子９ａは各マニホールドブロック３のコネクタ部６を通じて電磁弁４の各ソレノイドＳ（図５参照）に接続されている。
【００１６】
図１に示すように、このマニホールドベース７内部には、各マニホールドブロック３に亘って延びる共通流路としての供給ポート１０ａと排出ポート１０ｂが形成されている。２つの入出力ポート８ａ，８ｂは、電磁弁４によって供給ポート１０ａと排出ポート１０ｂの間で連通状態が切換えられる。
【００１７】
給電部５には、プラグイン構造により接続される主電源用の入力端子１１が図１の下側に延びるように配設され、この入力端子１１は給電部５に内蔵された基板１２を介して電磁弁４のソレノイドＳ（図５参照）と電気的に接続されている。他方、コネクタ部６には主電源に通じる出力端子１３が配設され、出力端子１３は電磁弁４の入力端子１１と接続可能となるように図１の上側に延びている。
【００１８】
図１および図２に示すように、基板１２には、外部電源用の入力端子（外部入力端子）１４が、外部電源から延びる供給コネクタとしてのコネクタ１５を取付けるためにその基板１２に組付けられたソケット部１６内に収容された状態で配設されている。給電部５の上部には、蓋体１７が支軸１７ａを中心として開閉可能に配設され、コネクタ１５は蓋体１７を開くことでできる挿入口５ａから導入されて外部入力端子１４と接続されるようになっている。
【００１９】
給電部５の上部には、内側に向かって傾斜する部位に半透明樹脂により形成された窓部１８が設けられている。基板１２の裏面１２ａには、主電源または外部電源に関係なく電源入力時に点灯するＬＥＤ１９が配設され、作業者は電源接続の有無を窓部１８から目視によって確認可能となっている。
【００２０】
図２〜図４に示すように、基板１２には、主電源用の入力端子１１，１１間の接続・遮断を切換えする切換手段としての接点２０が設けられている。この接点２０には金属製のバネ板２２が用いられ、バネ板２２の基端（図２で上部）が端子ピン２１ａに固定され、バネ板２２の先端（図２で下部）が端子ピン２１ｂに当接するように付勢されている。
【００２１】
図３および図４に示すように、バネ板２２のほぼ中央には、そのバネ板２２が端子ピン２１ｂに当接する状態でコネクタ１５の挿通経路Ｌ（図４参照）上に突出して位置する当接部２２ａが屈曲形成されている。バネ板２２は、コネクタ１５を挿し込むときに、規制部１５ａが当接部２２ａに当接することでコネクタ１５に押され、端子ピン２１ｂから離間するように設定されている。またバネ板２２は、コネクタ１５の出力端子２３（図１参照）が給電部５の外部入力端子１４に接続される前に端子ピン２１ｂから離間し、主電源との接続状態が遮断されるタイミングが得られるようにソケット部１６の所定距離上方に位置設定されている。
【００２２】
基板１２には、図５（ａ）に示す回路が設けられている。詳述すると、主電源用の入力端子１１，１１の間には、ダイオード２４および接点２０が直列に接続されている。そのダイオード２４と接点２０の間には、ソレノイドＳと、ＬＥＤ１９および抵抗２５と、ダイオード２６とが並列に接続されている。また外部電源用の外部入力端子１４，１４の間には、ダイオード２７が直列に接続されている。
【００２３】
次に前記のように構成された電磁弁マニホールド１の作用を説明する。
主電源により電力が供給されている電磁弁マニホールド１で、外部電源のコネクタ１５を接続していないとき（図４の二点鎖線の状態）は、基板１２上の回路は図５（ｂ）に示す実線のような電気接続状態をとっており、各電磁弁４は主電源によって駆動される。
【００２４】
そして外部電源によって電磁弁４を駆動させたいときには、まず蓋体１７を開けてその挿入口５ａからコネクタ１５を挿し込む。このとき、コネクタ１５の規制部１５ａがバネ板２２の当接部２２ａに当接し、バネ板２２が反付勢側に押されることで、図４の実線に示すように端子ピン２１ｂから離間して電気接続が切れる。これにより、コネクタ１５が挿し込まれた電磁弁４のソレノイドＳと主電源の電気接続が遮断され、このソレノイドＳへは主電源から電力が供給されなくなる。
【００２５】
そのままコネクタ１５を差し込んでいき、コネクタ１５がソケット部１６に取付けられると、外部入力端子１４にコネクタ１５の出力端子２３が接続される。すると基板１２上の回路は図５（ｃ）に示す実線のような電気接続状態をとり、ソレノイドＳは主電源から外部電源へと接続が切換わって、ソレノイドＳには外部電源から電力が供給される。また、コネクタ１５を取外したときは、再びバネ板２２が端子ピン２１ｂに当接して接点２０が接続状態をとり、ソレノイドＳは外部電源から主電源へと接続状態が切換わる。
【００２６】
本例では、プラグイン構造の電磁弁マニホールド１であるため、主電源用の入力端子１１が本体内部に隠れる構造をとるが、コネクタ１５を外部入力端子１４に接続すれば、電力供給源が主電源側から外部電源側に切換わり、必要に応じて外部電源によって各電磁弁４を個別に駆動可能となる。従って、電磁弁マニホールド１を使用する設備の立上げ調整が容易になるうえ、給電装置や配線系の異常等により任意の電磁弁４が正常に駆動しなくなるトラブル発生時の応急処置も容易になる。さらには、設備の制御系とは別に、主電源とは独立した外部電源によって個別に電磁弁４を制御することも可能になる。
【００２７】
また、主電源に通じる配線系（入力端子１１）は接続したまま、外部電源に切換えることが可能となる。そのため、主電源側の入力端子１１の接続先を付替える配線の付替え作業をしなくて済み、外部電源への切換作業が簡単になる。また、プラグイン構造を採用しない従来の電磁弁マニホールドでは、外部に露出する主電源用の入力端子に配線の付替えをして外部電源への切換えを行っていたが、このような付替え作業をしなくて済むうえ、複数の配線を取替えて元の主電源用の配線に戻すとき、付替え作業前とは異なる電磁弁に配線を取付けてしまうような問題は生じなくなる。
【００２８】
従って、この実施形態では以下のような効果を得ることができる。
（１）プラグイン構造の電磁弁マニホールド１において、外部電源と接続可能な外部入力端子１４を設けたので、コネクタ１５を外部入力端子１４に挿し込むだけで外部電源を各電磁弁４に個別に給電できる。よって、設備の立上げ調整を容易にできるうえ、トラブル発生時の応急処置も容易にでき、主電源とは独立した外部電源によって個別に電磁弁４を制御することもできる。
【００２９】
（２）外部電源用の外部入力端子１４にコネクタ１５を挿し込むだけで、主電源用の入力端子１１は接続したまま、外部電源に切換えることができる。そのため、プラグイン構造を採用して主電源用の入力端子１１が本体内部に隠れても、簡単に外部電源に切換できる。また、プラグイン構造を採用しない従来の電磁弁マニホールドに比べても、配線の付替え作業をしなくて済むうえ、元の主電源用の配線に戻すときにも、誤った取付先に接続する配線の取り違えも起きない。
【００３０】
（３）外部入力端子１４にコネクタ１５を接続するときに接点２０が切れ、電磁弁４のソレノイドＳと主電源が遮断されるので、コネクタ１５を外部入力端子１４に挿し込むだけで、主電源の入力状態に関係なく外部電源に切換えることができる。
【００３１】
（４）コネクタ１５を挿し込む動作に伴って機械的に作動する構造の接点２０を採用しているので、電気接続を切換えるための余分な操作を不要にできる。
（５）接点２０はコネクタ１５の出力端子２３が外部入力端子１４に接続される前に遮断される構造であるので、主電源および外部電源が同時に通電されるような不具合は生じず、確実に電気接続の切換えができる。
【００３２】
（６）外部入力端子１４をマニホールドブロック３ではなく電磁弁４に設けたので、仮に主電源用の入力端子１１が断線等の異常で通電できなくなるトラブル時でも、外部電源は外部入力端子１４を用いることにより入力端子１１を経由せずに直接、ソレノイドＳに給電できる。
【００３３】
なお、実施形態は前記に限定されるものではなく、例えば、次のように変更してもよい。
・  電磁弁マニホールド１はプラグイン構造であることに限定されない。即ち電磁弁マニホールド１は、電磁弁４をマニホールドブロック３に組付けた後に、作業者が電磁弁４の外部に露出する入力端子にコネクタを接続して結線する構造のものでもよい。この場合でも、主電源用の入力端子とは別に、外部入力端子を設けることで外部電源への切替え作業を簡単にでき、しかも元の主電源に戻すときに配線の取り違えといったミスも防止できる。
【００３４】
・  コネクタ１５を挿し込む箇所は、主電源への入力端子１１が配置された給電部５に限らず、例えばその給電部５とは別体のコネクタ接続用部品を新たに組付け、その部品にコネクタ１５を接続する構造でもよい。
【００３５】
・  切換手段はバネ板２２を用いた機械的に作動する接点２０に限らない。例えば、外部入力端子１４に接続する際に挿し込むコネクタ１５をセンサにより検知し、そのセンサの検知信号に基づき電気的に回路内で主電源との接続を遮断するものでもよい。ここでセンサとしては、例えばコネクタ自体を検知する近接センサや、コネクタ１５が外部入力端子１４に接続されたことを外部電源からの通電により検知する電圧検知センサ等が挙げられる。
【００３６】
・  外部電源用の入力端子は電磁弁４に設けられることに限らず、マニホールドブロック３に設けてもよい。即ち、マニホールドブロック３内に、コネクタ１５を挿し込むと集中端子との接続が遮断される基板を組み込み、マニホールドブロック３に位置する入力端子を通じて電磁弁に電力を供給するものでもよい。
【００３７】
・  電磁弁４は、本例のようにシングルソレノイドタイプや両側ダブルソレノイドタイプに限定されない。例えば、電磁弁は両側ダブルソレノイドタイプであって、一方のソレノイドから延びる配線が他方のソレノイドに向かって電磁弁を橋渡し状に横切る片側配線集中タイプでもよい。同様に、給電部の外観形状は自由に変更でき、さらに給電部５の内部構造も、入力端子１１、外部入力端子１４の位置等、自由に設計変更できる。
【００３８】
前記実施形態及び別例から把握できる技術的思想について、以下にその効果とともに記載する。
（１）前記電磁弁を前記マニホールドベースに組付けることによって、前記電磁弁の主電源用の入力端子が前記マニホールドベースの主電源用の出力端子に電気接続されるプラグイン構造を備えた。この場合、プラグイン構造を用いた電磁弁マニホールドであっても、外部電源によって各電磁弁に個別に給電できる。
【００３９】
（２）前記技術的思想（１）において、前記外部入力端子は、前記電磁弁に設けられている。
（３）前記技術的思想（１），（２）において、前記主電源からの通電を遮断する切換手段を備えた。この場合、切換手段により主電源から外部電源に切換えられ、その外部電源によって各電磁弁を駆動できる。
【００４０】
（４）前記技術的思想（３）において、前記切換手段は、前記外部電源用の入力端子に接続される外部電源から供給コネクタの接続動作に基づき、前記主電源からの通電を遮断するように切換作動される。この場合、外部電源用の入力端子を接続すれば電力供給源が主電源から外部電源に切換わるので、主電源側の配線系に関与することなく、外部電源を電磁弁に接続できる。
【００４１】
（５）前記技術的思想（３），（４）において、前記切替え手段により前記主電源との接続が遮断された後に、前記外部電源との接続が開始される。この場合、主電源および外部電源が同時に通電されるような不具合は生じない。
【００４２】
【発明の効果】
以上詳述したように請求項１または２の発明によれば、電磁弁に外部電源から給電可能とするための外部入力端子を電磁弁又はマニホールドベースに設けたので、外部電源を電磁弁に個別に給電できる。
【００４３】
請求項１または２の発明によれば、切換手段によって電磁弁の電力供給源が主電源側から外部電源側に切換わるので、主電源の入力状態に関係なく外部電源によって各電磁弁を個別に駆動できる。
【図面の簡単な説明】
【図１】  一実施形態における給電部付近を断面にした電磁弁マニホールドの側面図。
【図２】  給電部付近の拡大断面図。
【図３】  コネクタをソケット部に取付けるときの説明図。
【図４】  バネ板を用いた接点の作動状態を示す説明図。
【図５】  基板上の回路図であって、（ａ）は電源供給前、（ｂ）は主電源が接続されたとき、（ｃ）は外部電源が接続されたときである。
【図６】  電磁弁マニホールドの斜視図。
【符号の説明】
１…電磁弁マニホールド、４…電磁弁、７…マニホールドベース、８ａ，８ｂ…入出力ポート、１０ａ…共通流路としての供給ポート、１０ｂ…共通流路としての排出ポート、１１…主電源用の入力端子、１３…主電源用の出力端子、１４…外部電源用の入力端子（外部入力端子）、１５…供給コネクタとしてのコネクタ、２０…切換手段としての接点。
【図１】
0004516192.tif 000002
【図２】
0004516192.tif 000003
【図３】
0004516192.tif 000004
【図４】
0004516192.tif 000005
【図５】
0004516192.tif 000006
【図６】
0004516192.tif 000007